(57)【要約】【課題】コンロの使用経過段階を把握することができ、点け忘れ防止を喚起して使用者、特に高齢者及びその関係者等はコンロを安心して使用又は使用させることができるコンロの使用状態表示機能を有するキッチンを実現する。【解決手段】コンロ３が使用中か否かを検知するセンサ１０、１２と、センサ１０、１２の検知によりコンロ３が使用中であるか否かを検知する報知部５とを備えており、検知部５をコンロとは離れた位置に設け、センサ１０、１２のガス又は電流を検知することによりコンロ３が使用中であることを検知した後に、所定の時間を経過しても、センサ１０、１２により、コンロ３が使用中でないことを検知しない場合に、コンロ３が点け忘れ状態であることを報知部６で報知する。【選択図】図２
2006234233.tif 000002
【特許請求の範囲】
【請求項１】
コンロが使用中か否かを検知するセンサと、前記センサの検知によりコンロが使用中であるか否かを報知する報知部とを備えたキッチンであって、前記報知部をコンロとは離れた位置に設け、前記センサが、コンロが使用中であることを検知した後に、所定の時間を経過しても、前記センサが、コンロが使用中でないことを検知しない場合に、コンロが点け忘れ状態であることを前記報知部で報知することを特徴とするキッチン。
【請求項２】
請求項１記載のキッチンであって、前記報知部をキッチンキャビネットの幕板部に設けたことを特徴とするキッチン。
【請求項３】
請求項１の記載のキッチンであって、前記報知部をレンジフードの表面部に設けたことを特徴とするキッチン。
【請求項４】
請求項１の記載のキッチンであって、前記報知部をダイニング側との仕切部に設けたことを特徴とするキッチン。
【請求項５】
請求項１から４のいずれかに記載のキッチンであって、前記センサと前記報知部が無線で通信することを特徴とするキッチン。
【請求項６】
請求項１から５のいずれかに記載のキッチンであって、人感知センサを備え、人を感知しない場合にコンロの消火を行うようにすることを特徴としたキッチン。
【発明の詳細な説明】
【技術分野】
【０００１】
本発明は、コンロの使用状態表示機能を有するキッチンに関する。
【背景技術】
【０００２】
従来、キッチンにビルトインされる家庭用電気製品の使用状態を表示する表示装置をウォールキャビネットやトールキャビネットに設ける点は公知であり（特許文献１参照）、この特許文献１には、使用状態を表示するのではなく、ブザーを鳴らすようにしてもよいことが示唆されている。
【０００３】
そして、消し忘れ防止機能付きコンロは、公知である（特許文献２、３参照）。又、コンロの摘みがガス燃焼位置であれば、電波を送信する送信器を設置したコンロは公知である（特許文献４参照）。さらに、バックガードにモニター付きスイッチ装置を設けた点は公知である（特許文献５参照）。
【特許文献１】特開平７−２２０１８７
【特許文献２】特開２００１−６５８６８
【特許文献３】特開２００１−６５８６９
【特許文献４】特開２００２−３６４８５４
【特許文献５】特開２００２−１７７０７０
【発明の開示】
【発明が解決しようとする課題】
【０００４】
コンロの使用状態（点火状態）を、使用時間の経過段階に応じて異なった態様で表示させ、所定時間以上の使用状態が経過すると、より警報的色彩の強い表示を、しかも若干離れたところからも分かるように的確に行うようにすれば、使用者、特に高齢者及びその関係者等は、コンロを安心して使用でき又は使用させることができる。
【０００５】
ところで、上記背景技術で例示した特許文献で開示されているように、電気製品の使用状態を単に表示する技術や摘みの位置で使用状態を電波で送信する技術等はすでに知られているが、これらの技術は、使用時間の経過段階等を使用者に表示して知らせるということは考慮されずに、単に使用状態を表示するのみで、使用者への注意喚起という点では、十分とは言えない。
【０００６】
また、コンロの使用時間が所定以上経過すると自動的に消火されて消し忘れを防止する技術は公知であるが、この技術も使用時間の経過段階の表示もなく、単に所定時間経過したということでいきなり消火するものであり、使用者へのきめ細かい使用状態の報知という点は欠けている。
【０００７】
本発明は、上記従来の問題を解決することを目的とするものであり、コンロの使用状態（点火状態）を、使用時間の経過段階に応じ異なった態様で若干離れたところからも分かるように的確に表示し、しかも所定時間以上の使用状態が経過すると、より警報的色彩の強い表示が行われ、点け忘れ防止を喚起し、使用者、特に高齢者及びその関係者等がコンロを安心して使用でき、又は使用させることができる、コンロの使用状態表示機能を有するキッチンを実現するものである。
【課題を解決するための手段】
【０００８】
本発明は上記課題を解決するために、コンロが使用中か否かを検知するセンサと、前記センサの検知によりコンロが使用中であるか否かを報知する報知部とを備えたキッチンであって、前記報知部をコンロとは離れた位置に設け、前記センサが、コンロが使用中であることを検知した後に、所定の時間を経過しても、前記センサが、コンロが使用中でないことを検知しない場合に、コンロが点け忘れ状態であることを前記報知部で報知することを特徴とするキッチンを提供する。
【０００９】
前記報知部をキッチンキャビネットの幕板部に設けた構成としてもよい。
【００１０】
前記報知部をレンジフードの表面部に設けた構成としてもよい。
【００１１】
前記報知部をダイニング側との仕切部に設けた構成としてもよい。
【００１２】
前記センサと前記報知部が無線で通信する構成としてもよい。
【００１３】
前記キッチンは、人感知センサを備え、人を感知しない場合にコンロの消火を行うようにする構成としてもよい。
【発明の効果】
【００１４】
本発明に係るキッチンによれば、次のような顕著な効果が生じる。
（１）コンロの使用状態（点火状態）を、使用時間の経過段階に応じて異なった表示できめ細かく行うことができる。
（２）所定時間以上の使用状態が経過すると、より警報的色彩の強い表示を行い、点け忘れ防止を喚起することができる。
（３）報知器として、電灯をシンクキャビネットやレンジフード等に設けて、離れたところからもその報知状態が分かるようにして、より明確に使用状態を表示可能とする。
（４）検知部と報知器とを無線で結合することにより、報知器を移動させることが自由になり、報知器の配置が自由になる。
（５）人感知センサを設けることで、キッチン付近から使用者が離れると、自動的にコンロを消火し、点けっぱなしを防止することができる。
【発明を実施するための最良の形態】
【００１５】
本発明に係るコンロの使用状態表示機能を有するキッチンを実施するための最良の形態を実施例に基づき図面を参照して、以下説明する。
【００１６】
本発明に係るキッチンの特徴は、コンロが使用中であるか否か検知し使用中の場合は点火中信号を出力するセンサと、コンロの使用経過時間に応じて報知を行う報知部とを備えており、この報知部は、この検知部とは離れた箇所に設けられ、検知部からの信号を入力してコンロの使用時間経過に応じて、使用状態を表示するとともに、点け忘れ防止のための注意を喚起する報知を行う。その具体的な構成を各実施例で説明する。
【実施例１】
【００１７】
図１（ａ）は、本発明に係るキッチンの実施例１の全体構成を説明する図である。この実施例１のキッチン１は、壁に面して設置される通常のキッチンであり、シンクキャビネット２、コンロ３及びレンジフード４等を備えている。コンロ３は、ガスコンロでもよいし、ＩＨヒータでもよい。
【００１８】
このキッチン１は、コンロ３が使用中であるか否かを検知するセンサを備えた検知部と、この検知部によりコンロ３を所定時間以上使用している場合にその状態を報知する報知部を備えている。図２は、検知部５と報知部６の構成を説明するブロック図であり、ガスコンロについては図２（ａ）で説明し、ＩＨヒータについては図２（ｂ）で説明する。
【００１９】
ガスコンロの場合は、図２（ａ）において、ガスコンロ７の点火及び消火操作に基づき、開閉信号がガス管路８を開閉する電磁開閉弁９に送られ、電磁開閉弁９の開閉制御がされるように構成されている。
【００２０】
このガスコンロ７の使用状態を検知する検知部５が設けられている。具体的には、この検知部５は、そのセンサとしてガスセンサ１０を有し、このガスセンサ１０は、ガス管路８中に設けられ、ガス管路８中のガスの流れを検知するガスフローセンサである。ガスセンサ１０は、ガスコンロ７を使用している際にはガスの流れを検知し、その検出結果に基づき、検知部５は、「点火中検知信号」（コンロが点火中であることを検知する信号）を報知部６に出力する。
【００２１】
コンロがＩＨヒータの場合は、図２（ｂ）において、その使用状態を検知する検知部５は、そのセンサとして、ＩＨヒータ１１に電流を供給する電線に通電センサ１２が付設されている。この通電センサ１２は、ＩＨヒータ１１の点火中は電流を検知する。この通電センサ１２の電流の検出結果に基づき、検知部５は、点火中検知信号を報知部６に出力する。
【００２２】
報知部６は、報知制御部１３と報知器１４とから構成されている。報知制御部１３は、例えば、マイコンから成り、検知部５から点火中検知信号を入力し、点火中検知信号を継続的に入力している経過時間（検知信号を入力し消火されない経過時間）に応じて段階的に、異なる報知制御信号を報知器１４に送る機能を有するように構成されている。
【００２３】
即ち、報知制御部１３は、検知部５から点火中検知信号を入力すると、第１の報知信号を報知部に出力するが、その入力から続けて、予め設定された第１の所定時間、例えば５分以上、点火中検知信号を入力し続けると第２の報知信号を報知器１４に出力する。さらに、予め設定された第２の所定時間、例えば１０分以上点火中検知信号を入力し続けると第３の報知信号を報知部６に出力する。
【００２４】
報知器１４としては、照明表示を可能とする電灯（蛍光灯、ＬＥＤ等）若しくはブザー、又はこれらの組み合わせたものを利用する。例えば、電灯の場合は、第１の報知状態〜第３の報知状態のそれぞれにおいて電灯の点灯状態（点灯・点減、電灯の色、明るさ等）が異なるように切り替えられる。
【００２５】
又、ブザーの場合は、第１の報知状態〜第３の報知状態のそれぞれにおいて報知音（低音・高温、音量等）を切り替えてもよい。さらには、第１の報知状態及び第２の報知状態では電灯を点灯し、第３の報知状態ではブザーを鳴らすような組み合わせとしてもよい。
【００２６】
この実施例１では、報知器１４は電灯を用いる。この電灯には点灯スイッチ１５が付設されており、報知制御部１３からの第１〜３の報知信号の種類により、点灯状態が切り替えられる。
【００２７】
例えば、第１の報知信号を報知器１４が入力すると、点灯スイッチ１５により電灯は青色の点灯状態を開始する。さらに、第２の報知信号を報知器１４が入力すると、点灯スイッチ１５により電灯は赤色の点灯状態を開始する。さらに、第３の報知信号を報知器１４が入力すると点灯スイッチ１５により電灯は赤色の点減状態を開始する。
【００２８】
実施例１では、電灯として蛍光灯を利用し、報知器１４をシンクキャビネット２の幕板部１６に蛍光灯を備えた幕板照明装置の構成とした。この幕板照明装置１７の構造を図３（ａ）に示す。この幕板照明装置１７は、２枚の棚板１８により上下２段の照明灯設置空間１９が形成され、さらにその下段に報知制御部１３及び点灯スイッチ１５を収納するボックス２０を設置する最下段の設置空間２１が形成されている。
【００２９】
上下２段の照明灯設置空間１９には、それぞれ蛍光灯２２を設置する。この上下の蛍光灯２２を、例えば、第１及び第２の報知信号に対応して、それぞれ青色、赤色に着色したカバーを付設することで、青色の照明を行う蛍光灯（以下、「青色電灯」という。）及び赤色の照明を行う蛍光灯（以下、「赤色電灯」という。）とする。さらに、赤色電灯は、点滅も可能な構成とする。
【００３０】
上下２段の照明灯設置空間１９及び最下段の設置空間２１の前面には、それぞれ前面カバー２３が取り付けられている。幕板照明装置１７の側面には幕板サイドカバー２５が取り付けられている。
【００３１】
（実施例１の作用）
以上の構成から成る実施例１のキッチン１の作用を、図３（ｂ）に示すフロー図を参照して、順次説明する。
【００３２】
（イ）使用者がコンロ３（ガスコンロ７又はＩＨヒータ１１）を点火すると、ガスコンロ７の場合は電磁弁９が開きガスセンサ１０でガスを検出し、ＩＨヒータ１１の場合は通電センサ１２で電流を検出し、いずれの場合でも、検知部５が点火中検知信号を報知制御部１３に出力する。
【００３３】
（ロ）報知制御部１３は、点火中検知信号に応答して、第１の報知信号（青色電灯の点灯信号）を幕板照明装置１７の点灯スイッチ１５に送ると、点灯スイッチ１５は、幕板照明装置１７の青色電灯２２を点灯するように動作する。
【００３４】
（ハ）、（ニ）報知制御部１３は、点火中検知信号を入力してからの経過時間Ｘが５分以上ではない場合には、使用者がコンロ３の「消火したか？」について、消火操作しないことを条件として青色電灯２２の点灯が続き（図３（ｂ）の（ニ）、（ホ）参照）、消火操作をした場合は青色電灯２２は消灯される（図３（ｂ）の（ニ）、（ヘ）参照）。
【００３５】
（ハ）、（ト）報知制御部１３は、点火中検知信号を入力してからの経過時間Ｘが５分以上となると、第２の報知信号（赤色電灯の点灯信号）を幕板照明装置１７の点灯スイッチ１５に送ると、点灯スイッチ１５は、幕板照明装置１７の青色電灯２２を消灯して赤色電灯２２を点灯するように切り替える。
【００３６】
（チ）、（リ）報知制御部１３は、赤色電灯２２が点灯している状態において点火中検知信号を入力してからの経過時間Ｘが１０分以上ではない場合は、使用者がコンロ３の「消火したか？」について、消火操作をしないことを条件として赤色電灯２２の点灯が続き（図３（ｂ）の（リ）、（ヌ）参照）、消火操作をした場合は赤色電灯２２は消灯される（図３（ｂ）の（リ）、（ヘ）参照）。
【００３７】
（チ）、（ル）報知制御部１３は、赤色電灯２２が点灯している状態において点火中検知信号を入力してからの経過時間Ｘが１０分以上となると、第３の報知信号（赤色電灯の点減信号）を幕板照明装置１７の点灯スイッチ１５に送り、点灯スイッチ１５は、幕板照明装置１７の赤色電灯２２を点減するように切り替える。
【００３８】
（ル）、（ヲ）報知制御部１３は、赤色電灯２２が点減している状態において使用者がコンロ３の「消火したか？」について、消火操作をしないことを条件として赤色電灯２２の点減が続き、（図３（ｂ）の（ヲ）、（ワ）参照）、消火操作をした場合は赤色電灯２２の点減は消灯される（図３（ｂ）の（ヲ）、（ヘ）参照）。
【００３９】
（実施例１の変形例）
上記実施例１は、図１（ａ）に示す構造のキッチンであるが、実施例１の変形例として、図１（ｂ）に示す対面式キッチン２６についても同様に適用可能である。２７は、レンジフードであり、ダイニングの側壁２４に取り付けられている。なお、アイランド型キッチンについても同様に適用可能である。                                                
【００４０】
この対面式キッチン２６の場合は、図２に示す実施例１と同様の検知部５及び報知部６を有し、図３（ｂ）に示す実施例１と同様の作用を行うが、実施例１と異なり、キッチンキャビネットのダイニング側の幕板２８に、実施例１と同様に、報知部６の報知器１４である幕板照明装置１７を付設するものである。
【実施例２】
【００４１】
本発明に係るキッチンの実施例２を図４により説明する。この実施例２は、実施例１とほぼ同じ構成であるが、実施例１と異なる点は、報知器１４である電灯３０をレンジフード３１の表面に設けた構成である。報知器１４の電灯３０を設けるレンジフード３１は、実施例２では、図４（ａ）に示すような対面式キッチン３２に適用したものであるが、図１（ａ）に示すような通常のキッチン１のレンジフード４に適用しても良い。
【００４２】
実施例２の対面式キッチン３２は、図４（ａ）、（ｂ）に示すように、コンロ（レンジ）の上方にレンジフード３１が設けられている。このレンジフード３１は、ダイニングの側壁３３に取り付けられている。なお、レンジフード３１は、アイランド型キッチンの場合は天井から下方に突き出るように、天井に取り付けてもよい。
【００４３】
実施例２の対面式キッチン３２は、その検知部及び報知部の構成は、図２に示す実施例１とほぼ同様であり、その作用は図３（ｂ）に示す実施例１と同様の作用を行う。
【００４４】
なお、この実施例２では、対面式キッチン３２のレンジフード３１の下枠部２９の表面に、電灯３０が設けられている。この電灯３０は、蛍光灯でもよいが、レンジフード３１への設置スペース等の狭さを考慮すると、ＬＥＤ等が好ましい。電灯３０が設けられる表面は、実施例２では図４（ａ）に示すようにダイニング側の面であるが、キッチン側又は側方の面であってもよい。
【実施例３】
【００４５】
本発明に係るキッチンの実施例３を図５により説明する。この実施例３は、実施例１、２と基本的には同じ構成であるが、報知部の報知器は、対面式キッチン（アイランド型キッチン）のダイニング部との仕切部を利用し、その下方に電灯を設けて表示照明装置とした構成において実施例１、２とは異なるものである。
【００４６】
図５（ａ）は、実施例３の全体構成を説明する図である。この対面式キッチン３３ではダイニング側との簡単な仕切を行う仕切部として、カウンタの天板３４上であってコンロ３５のダイニング側の位置に、仕切用のガラスの衝立３６が立設されている。この実施例３の報知器は、ガラスの衝立３６に電灯（ＬＥＤ等）による照明光を導光して照明かつ表示も行う表示照明装置の構成としている。
【００４７】
図５（ｂ）は、実施例３の報知器を詳細に説明する図である。カウンタの天板３４上に、支持台３８がネジで固定されており、ガラスの衝立３６の下端部がこの支持台３８の支持溝３９内に挿入されて立設される。この支持溝３９の下方に、電灯３７、点灯スイッチ１５及び報知制御部１３が支持台３８及び天板３４に形成される凹部４０内に配置される。
【００４８】
この電灯３７でガラスの衝立３６の下端面から上方に向けて照明することで、その照明光はガラスの衝立３６内を上方に導光され、照明光が矢印のようにダイニング側に出光する。図５（ｃ）に示すように、ガラスの衝立のダイニング側の表面に「ＤＡＮＧＥＲ」等の警告用の文字４１を表記して、照明とともに表示も行い、使用者により注意を喚起する構成としている。
【００４９】
なお、実施例２の対面式キッチンは、報知器である表示照明装置をガラスの衝立３６を電灯で照明する構成とした点を特徴とするが、その検知部の構成及び報知部の構成等は図２に示す実施例１と基本的には同じであり、図３（ｂ）に示す実施例１と同様の作用を行う。但し、実施例３のように、ガラスの衝立３６を照明する構成とした場合は、第１の報知信号では、青色電灯の点灯（図３（ｂ）中の（ロ））を省略してもよい。
【００５０】
（実施例３の変形例）
図６は、実施例３の変形例を示す図である。この変形例は、実施例２と同じタイプの対面式キッチンであり、実施例３と同様に、コンロ３５のダイニング側に表示照明装置のガラスの衝立４２が立設されている、このガラスの衝立４２は、実施例３よりも高い衝立とし、その上端がレンジフード２７の下枠部２９に固定されている。そして、このガラスの衝立４２の下部のコンロ側の面には防熱プレート４３が貼り付けられている。
【００５１】
表示照明装置の電灯は、実施例３と同様にガラスの衝立４２の下方に設けられている。そして、ガラスの衝立４２の表面の防熱プレート４３より上方の部分に、「ＤＡＮＧＥＲ」等の警告用の文字４１が表示されている。これにより、電灯がつくと、この文字４１が照明されて浮き出て見えることとなる。
【実施例４】
【００５２】
図７及び図８は実施例４を説明する図であり、コンロ３がガスコンロである場合も、ＩＨヒータである場合も含めて記載している。図７（ａ）に示すキッチン４４は、そのレンジフード４５の外観が若干異なるが、基本的には、その構成及びキッチン４４のシンクキャビネット２に付設された報知部の報知器としての幕板照明装置１７は、実施例１とほぼ同じである。
【００５３】
この実施例４が実施例１と異なる特徴的な構成は、コンロ３が点火中であるか否かの検出を、図７（ｂ）に示すように、レンジフード４５に付設されたコンロセンサ４６により行う構成とし、さらに、レンジフード４５に人感知センサ４７を設け、キッチン４４の近辺における人の有無を検出する構成とした点である。
【００５４】
コンロセンサ４６は、雑ガスセンサ、赤外線センサ又は温度センサ等を利用し、レンジフード４５の吸い込み口４８又はその付近に設置する。この実施例４では、レンジフード４５の下面にコンロセンサ４６が設置されている。人感知センサ４７は赤外線等の光センサ等を利用し、レンジフード４５の下枠部２９に付設される。
【００５５】
図８（ａ）は、実施例４の検出部と報知部を説明するブロック図である。コンロセンサ４６を有する検知部４９は、報知部５０の報知制御部（マイコン）５１に接続されており、コンロセンサ４６の検出結果に基づいて「点火中検知信号」を報知制御部５１に出力する。検知部４９の構成は、実施例１の図２（ａ）の報知部５と基本的には同じである。
【００５６】
しかし、この実施例４の検知部４９は、人感知センサ４７を有し、人の感知信号を報知制御部５１に出力する構成となっている。検知部４９からの「点火中検知信号」が継続的に所定時間以上経過した場合であって、人の感知信号がない場合は、報知制御部５１は、自動的にコンロ３を消火する信号を生成し、これをコンロ３の操作制御部５２に出力し、コンロ３の自動消火を行うように構成されている。また、人を感知した後コンロの使用を検知し、コンロの使用を継続して検知している間に人を感知しなくなると、コンロの点け忘れと判断するようにしてもよい。
【００５７】
（実施例４の作用）
以上の構成から成る実施例４のキッチンの作用を、図８（ｂ）に示すフロー図を参照して説明する。この実施例４の作用は、図３（ｂ）の実施例１のフロー図で示す作用とほとんど同じであり、同じ作用についてはその説明は省略する。しかし、実施例４では、実施例１と異なり、検知部４９に人感知センサ４７が加わった構成による作用において相違する。具体的には、図８（ｂ）中の、（カ）及び（ヨ）に関する作用については実施例４に特有の作用である。
【００５８】
即ち、実施例４でも実施例１と同様に、赤色電灯が点灯している状態において点火中検知信号を入力してからの経過時間Ｘが１０分以上となると、報知制御部は第３の報知信号（赤色電灯点減信号）を幕板照明装置１７の点灯スイッチ１５に送り、幕板照明装置１７の赤色電灯を点減するように切り替える。
【００５９】
この場合、実施例４では、赤色電灯が点減している状態において、人感知センサ４７により人が感知されている場合は、「消火したか？」について消火されないことを条件として、赤色電灯の点減が継続され（図８（ｂ）中の（カ）、（ヲ）、（ワ）参照）、消火された場合は消灯する（図８（ｂ）中の（カ）、（ヲ）、（ヘ）参照）。しかし、人感知センサ４７により人感知されない場合は、コンロ３の操作制御部５２が操作されて自動的に消火され消灯する（（図８（ｂ）中の（カ）、（ヨ）参照）。
【００６０】
このような作用によって、コンロ３を１０分以上点け放しの場合で、しかもキッチン近辺から人がいなくなった場合には、自動的にコンロ３が消火されて、点け放しの危険性や経済的損失を防止することができる。
【００６１】
なお、実施例４では、赤色電灯が点減している状態において、人センサによる人感知の結果を採用したが、青色電灯が点灯又は赤色電灯が点灯している状態において、或いは報知器の点灯状態とは関係なく、人感知の検知結果を採用して自動的に消火する信号を生成するように、報知制御部５１（マイコン）を予め設定又はソフトにより動作するような構成としてもよい。
【実施例５】
【００６２】
図９は、本発明に係るキッチンの実施例５を説明する図である。この実施例５は、基本的には実施例１と同じであるが、報知部の送信側の報知制御部から、点火中検知信号を受信側の報知器に無線で送信する構成とした点を特徴とするものである。
【００６３】
図９（ａ）は、実施例５のキッチン５３の全体図である。報知器５４は、内部に電灯を有しその裏面に磁石５５が付設されている。図９（ｂ）に示すように、金属製の報知器取付板５６がキッチン５３の上部キャビネット５７にネジ止めされ、これに報知器５４が磁石５５により吸着されて着脱可能に取り付けられている。
【００６４】
図１０は、実施例５の検知部５と報知部６の構成を説明するブロック図である。図１０（ａ）はガスコンロ７の場合であり、送信側では、実施例１と同じ構成のガスセンサ１０を有する検知部５に接続された報知制御部１３及び送信器５８が、キッチン５３の本体側に配置されている。図１０（ｂ）はＩＨヒータ１１の場合であり、実施例１と同じ通電センサ１２を有する検知部５に接続された報知制御部１３及び送信器５８がキッチン５３の本体側に配置されている。
【００６５】
図１０（ａ）、（ｂ）のいずれにおいても、報知制御部１３で生成された点火中検知信号は、送信器５８によって、電波で受信側に送信されるように構成されている。
【００６６】
図１０（ａ）、（ｂ）において、報知部の受信側では、受信器５９に点灯スイッチ１５を介して電灯が接続され、さらに受信器５９にブザー６０がそれぞれ接続されている。この実施例５では、点灯スイッチ１５に実施例１同様に青色電灯と赤色電灯を接続したが、電灯は、ＬＥＤ等でもよい。実施例５の作用は、報知制御部１３から報知器５４への信号が無線で伝送される点は異なるが、図３（ｂ）により説明した実施例１の作用と同じである。
【００６７】
なお、実施例５では、報知器５４にブザー６０を設けており、これにより、例えば、実施例１で説明したような第２の報知信号を受信した場合は赤色電灯を点灯し、さらに第３の報知信号を受信した場合には、赤色電灯の点減と共に、又は赤色電灯の点減に替え、ブザー６０が鳴るような構成とすることもできる。
【実施例６】
【００６８】
図１１は、本発明に係るキッチンの実施例６を説明する図である。この実施例６のキッチン６１は、実施例４と実施例５を合わせた構成であり、図１１（ａ）、（ｂ）に示すように、レンジフード４５に、コンロセンサ４６を設けると共に人感知センサ４７を設ける構成である。この実施例６は、送信側にある報知制御部１３から、報知信号を受信側にある報知器５４に無線で送信する構成を特徴する。
【００６９】
実施例５と同様に、実施例６においても、報知器５４を着脱可能にキッチン６１の上部キャビネット５７に取り付けるように構成されている。この実施例６では、図１１（ｃ）に示すように、キッチン６１の本体に設置される送信側では、コンロセンサ４６を有する検知部と人感知センサ４７が報知制御部１３に接続され、報知制御部１３が送信器５８に接続されている。
【００７０】
図１１（ｃ）は、受信側である報知器５４の構成を説明する図であり、実施例５において説明した図１０（ｃ）に示す構成とほぼ同じであり、実施例６の作用は、無線により報知信号を送信する以外は、実施例４において図８（ｂ）で説明した構成とほぼ同じである。なお、ブザー６０を断続的にＯＦＦさせる切用スイッチ（図示せず）を受信器５９とブザー６０との間に設ける構成としてもよい。
【００７１】
以上、本発明に係るキッチンを実施するための最良の形態を実施例に基づいて説明したが、本発明はこのような実施例に限定されるものではなく、特許請求の範囲に記載された技術的事項の範囲内でいろいろな実施例があることは言うまでもない。例えば、検知部はコンロと一体、別体であることを問わず、コンロの内部にあって、一体に構成されてもよいが、コンロの外部にあって別体に構成されていてもよい。
【産業上の利用可能性】
【００７２】
以上、本発明に係るキッチンを説明したが、このような本発明における報知部はキッチンのコンロのみでなく、暖房機器等のその他の家庭用の機器にも適用可能である。
【図面の簡単な説明】
【００７３】
【図１】（ａ）は本発明に係るキッチンの実施例１の全体構成を示す斜視図であり、（ｂ）はその変形例を示す斜視図である。
【図２】実施例１の検知部及び報知部を示す図であり、（ａ）はガスコンロの場合であり、（ｂ）はＩＨヒータの場合である。
【図３】（ａ）は実施例１の報知部の幕板照明装置の一例を示す分解斜視図であり、（ｂ）は実施例１の動作を示すフロー図である。
【図４】（ａ）は本発明に係るキッチンの実施例２の全体構成を示す斜視図であり、（ｂ）はレンジフードを示す斜視図である。
【図５】（ａ）は本発明に係るキッチンの実施例３の全体構成を示す斜視図であり、（ｂ）、（ｃ）は、その要部を説明する図である。
【図６】本発明に係るキッチンの実施例３の変形例の全体構成を示す斜視図である。
【図７】（ａ）は本発明に係るキッチンの実施例４の全体構成を示す斜視図であり、（ｂ）は、その要部を説明する図である。
【図８】（ａ）は実施例４の報知部と検知部の構成を示すブロック図であり、（ｂ）は実施例４の動作を示すフロー図である。
【図９】（ａ）は本発明に係るキッチンの実施例５の全体構成を示す斜視図であり、（ｂ）は、その要部を説明する図である。
【図１０】（ａ）、（ｂ）は、実施例４の報知部と検知部の構成を示すブロック図である。
【図１１】（ａ）は本発明に係るキッチンの実施例６の全体構成を示す斜視図であり、（ｂ）は、その要部を説明する図であり、（ｃ）は報知部と検知部の構成を示すブロック図である。
【符号の説明】
【００７４】
１、３２、４４、５３、６１  キッチン               
２  シンクキャビネット                       
３、３５  コンロ                             
４、２７、３１、４５  レンジフード               
５、４９  検知部                             
６、５０  報知部                             
７  ガスコンロ                               
８  ガス管路                                 
９  電磁開閉弁                               
１０  ガスセンサ                             
１１  ＩＨヒータ                             
１２  通電センサ                             
１３、５１  報知制御部                       
１４、５４  報知器                           
１５  点灯スイッチ                           
１６  幕板部                                 
１７  幕板照明装置                           
１８  棚板                                   
１９  照明灯設置空間                         
２０  ボックス                               
２１  最下段の設置空間                       
２２  蛍光灯                                 
２３  前面カバー                             
２４  ダイニングの側壁                 
２５  幕板サイドカバー                       
２６、３２、３３  対面式キッチン
２８  ダイニング側の幕板                     
２９  レンジフードの下枠部                   
３０、３７  電灯                             
３４  天板                                   
３６、４２  ガラスの衝立                     
３８  支持台                                 
３９  支持溝                                 
４０  天板に形成される凹部                   
４１  警告用の文字                           
４３  防熱プレート                           
４６  コンロセンサ                           
４７  人感知センサ                           
４８  吸い込み口                             
５２  コンロの操作制御部                     
５５  磁石                                   
５６  報知器取付板                           
５７  上部キャビネット                       
５８  送信器                                 
５９  受信器                                 
６０  ブザー                                 
【図１】
2006234233.tif 000003
【図２】
2006234233.tif 000004
【図３】
2006234233.tif 000005
【図４】
2006234233.tif 000006
【図５】
2006234233.tif 000007
【図６】
2006234233.tif 000008
【図７】
2006234233.tif 000009
【図８】
2006234233.tif 000010
【図９】
2006234233.tif 000011
【図１０】
2006234233.tif 000012
【図１１】
2006234233.tif 000013